(57)【特許請求の範囲】
【請求項１】
表示部と、
動画と当該動画に関連付けられたテキスト情報とを記憶する記憶部と、
前記動画を選択する入力を受け付ける受付部と、
前記表示部を制御する表示制御部と、を備え、
前記表示制御部は、
前記表示部に第１領域を設定し、当該第１領域に前記動画のサムネイル画像の一覧を表示させ、
前記サムネイル画像の一覧において、前記受付部により受け付けられた前記入力によって、前記第１領域に表示されたいずれかの前記サムネイル画像が、当該サムネイル画像に対応する前記動画の再生のために選択されたとき、前記第１領域を縮小し、再生リストを表示するための第２領域と、第３領域と、を新たに前記表示部に設定して、選択された前記サムネイル画像に対応する前記動画を前記第３領域に表示させ、
前記受付部により受け付けられた前記入力によって、前記第１領域に表示されたいずれかの前記サムネイル画像が、当該サムネイル画像に対応する前記動画を前記再生リストに加えるために選択されたとき、選択された前記サムネイル画像に対応する前記動画に関連付けられた前記テキスト情報を、前記第２領域に表示させ、
前記第２領域に表示された前記テキスト情報に関連付けられた前記動画を、前記第１領域に表示された前記サムネイル画像より大きなサイズで、前記第３領域に表示させ、
さらに、前記表示部に前記第２領域と前記第３領域とを設定した後に、前記第１領域に表示されたいずれかの前記サムネイル画像が、当該サムネイル画像に対応する前記動画の再生のために選択されたとき、選択された前記サムネイル画像に対応する前記動画を、前記第２領域に表示された前記テキスト情報に関連付けられた前記動画に優先して、前記第３領域に表示させる、
ことを特徴とする携帯端末装置。
【請求項２】
請求項１に記載の携帯端末装置において、
前記表示制御部は、前記テキスト情報と当該テキスト情報に対応する前記サムネイル画像のそれぞれに、互いが関連することを示す目印を付す、
ことを特徴とする携帯端末装置。
【請求項３】
請求項２に記載の携帯端末装置において、
前記目印は、色および形状の少なくともいずれか一方を含む、
ことを特徴とする携帯端末装置。
【請求項４】
請求項１ないし３のいずれか一項に記載の携帯端末装置において、
前記表示制御部は、前記サムネイル画像が選択された順に、前記テキスト情報を前記第２領域に表示する、
ことを特徴とする携帯端末装置。
【請求項５】
請求項１ないし４のいずれか一項に記載の携帯端末装置において、
前記表示部の表示領域が、前記第１領域、前記第２領域および前記第３領域に分割される、
ことを特徴とする携帯端末装置。
【請求項６】
請求項１ないし５のいずれか一項に記載の携帯端末装置において、
前記表示制御部は、前記サムネイル画像とともに、前記テキスト情報を含む前記画像の付属情報を前記表示部に表示する、
ことを特徴とする携帯端末装置。
【請求項７】
請求項１ないし６のいずれか一項に記載の携帯端末装置において、
前記表示制御部は、前記第２領域に表示された前記テキスト情報の並びに従った順番で前記第３領域に前記動画を表示する、
ことを特徴とする携帯端末装置。
【請求項８】
請求項１ないし７のいずれか一項に記載の携帯端末装置において、
前記表示部は、第１表示部および第２表示部を含み、
前記受付部は、前記第１表示部に対する入力を受け付ける第１受付部、および前記第２表示部に対する入力を受け付ける第２受付部を含み、
前記表示制御部は、前記動画を前記第１表示部の前記第３領域に表示し、前記サムネイル画像を前記第２表示部の前記第１領域に表示し、前記テキスト情報を前記第２表示部の前記第２領域に表示する、
ことを特徴とする携帯端末装置。
【請求項９】
表示部と、動画と当該動画に関連付けられたテキスト情報とを記憶する記憶部と、前記動画を選択する入力を受け付ける受付部とを備える携帯端末装置のコンピュータに、
前記表示部に第１領域を設定し、当該第１領域に前記動画のサムネイル画像の一覧を表示させる機能と、
前記サムネイル画像の一覧において、前記受付部により受け付けられた前記入力によって、前記第１領域に表示されたいずれかの前記サムネイル画像が、当該サムネイル画像に対応する前記動画の再生のために選択されたとき、前記第１領域を縮小し、再生リストを表示するための第２領域と、第３領域と、を新たに前記表示部に設定して、選択された前記サムネイル画像に対応する前記動画を前記第３領域に表示させる機能と、
前記受付部により受け付けられた前記入力によって、前記第１領域に表示されたいずれかの前記サムネイル画像が、当該サムネイル画像に対応する前記動画を前記再生リストに加えるために選択されたとき、選択された前記サムネイル画像に対応する前記動画に関連付けられた前記テキスト情報を、前記第２領域に表示させる機能と、
前記第２領域に表示された前記テキスト情報に関連付けられた前記動画を、前記第１領域に表示された前記サムネイル画像より大きなサイズで、前記第３領域に表示させる機能と、
前記表示部に前記第２領域と前記第３領域とを設定した後に、前記第１領域に表示されたいずれかの前記サムネイル画像が、当該サムネイル画像に対応する前記動画の再生のために選択されたとき、選択された前記サムネイル画像に対応する前記動画を、前記第２領域に表示された前記テキスト情報に関連付けられた前記動画に優先して、前記第３領域に表示させる機能と、
を付与するプログラム。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯端末装置には、複数の動画のそれぞれをサムネイル画像に縮小して一覧表示する機能が設けられている。かかる機能において、サムネイル画像がユーザにより選択されると、選択されたサムネイル画像に対応する動画が再生される（たとえば、特許文献１参照）。
【先行技術文献】
【特許文献】
【０００３】
【特許文献１】特開２０１０−２５９０２８号公報
【発明の概要】
【発明が解決しようとする課題】
【０００４】
上記の構成では、ユーザは動画を再生する順序を定めることができない。
【０００５】
このため、ユーザがサムネイル画像を選択し、動画を再生する順序を設定することにより、ユーザが再生リストを作成することも考えられる。この場合、選択されたサムネイル画像が再生する順序に並んだ再生リストが表示され得る。
【０００６】
しかしながら、画像のデータ容量は大きいため、上記のように再生リストがサムネイル画像で作成されると、再生リストを作成するための処理の負担が大きくなってしまう。
【０００７】
本発明は、かかる課題に鑑みてなされたものであり、処理負担の増加を抑えつつ、画像を再生する順序をユーザの意図に応じて設定し得る携帯端末装置を提供することを目的とする。
【課題を解決するための手段】
【０００８】
本発明の携帯端末装置は、表示部と、動画と当該動画に関連付けられたテキスト情報とを記憶する記憶部と、前記動画を選択する入力を受け付ける受付部と、前記表示部を制御する表示制御部と、を備える。ここで、前記表示制御部は、前記表示部に第１領域を設定し、当該第１領域に前記動画のサムネイル画像の一覧を表示させ、前記サムネイル画像の一覧において、前記受付部により受け付けられた前記入力によって、前記第１領域に表示されたいずれかの前記サムネイル画像が、当該サムネイル画像に対応する前記動画の再生のために選択されたとき、前記第１領域を縮小し、再生リストを表示するための第２領域と、第３領域と、を新たに前記表示部に設定して、選択された前記サムネイル画像に対応する前記動画を前記第３領域に表示させ、前記受付部により受け付けられた前記入力によって、前記第１領域に表示されたいずれかの前記サムネイル画像が、当該サムネイル画像に対応する前記動画を前記再生リストに加えるために選択されたとき、選択された前記サムネイル画像に対応する前記動画に関連付けられた前記テキスト情報を、前記第２領域に表示させ、前記第２領域に表示された前記テキスト情報に関連付けられた前記動画を、前記第１領域に表示された前記サムネイル画像より大きなサイズで、前記第３領域に表示させる。前記表示制御部は、さらに、前記表示部に前記第２領域と前記第３領域とを設定した後に、前記第１領域に表示されたいずれかの前記サムネイル画像が、当該サムネイル画像に対応する前記動画の再生のために選択されたとき、選択された前記サムネイル画像に対応する前記動画を、前記第２領域に表示された前記テキスト情報に関連付けられた前記動画に優先して、前記第３領域に表示させる。
【０００９】
本態様に係る携帯端末装置において、前記表示制御部は、前記テキスト情報と当該テキスト情報に対応する前記サムネイル画像のそれぞれに、互いが関連することを示す目印を付すように構成され得る。
【００１０】
本態様に係る携帯端末装置において、前記目印は、色および形状の少なくともいずれか一方を含むように構成され得る。
【００１１】
本態様に係る携帯端末装置において、前記表示制御部は、前記サムネイル画像が選択された順に、前記テキスト情報を前記第２領域に表示するように構成され得る。
【００１２】
本態様に係る携帯端末装置において、前記表示部の表示領域が、前記第１領域、前記第２領域および前記第３領域に分割され得る。
【００１３】
本態様に係る携帯端末装置において、前記表示制御部は、前記サムネイル画像とともに、前記テキスト情報を含む前記画像の付属情報を前記表示部に表示するように構成され得る。
【００１５】
本態様に係る携帯端末装置において、前記表示制御部は、前記第２領域に表示された前記テキスト情報の並びに従った順番で前記第３領域に前記動画を表示するように構成され得る。
【００１６】
本態様に係る携帯端末装置において、前記表示部は、第１表示部および第２表示部を含み、前記受付部は、前記第１表示部に対する入力を受け付ける第１受付部、および前記第２表示部に対する入力を受け付ける第２受付部を含むような構成が採られ得る。この場合、前記表示制御部は、前記動画を前記第１表示部の前記第３領域に表示し、前記サムネイル画像を前記第２表示部の前記第１領域に表示し、前記テキスト情報を前記第２表示部の前記第２領域に表示する。
【００１７】
本発明のプログラムは、表示部と、動画と当該動画に関連付けられたテキスト情報とを記憶する記憶部と、前記動画を選択する入力を受け付ける受付部とを備える携帯端末装置のコンピュータに、前記表示部に第１領域を設定し、当該第１領域に前記動画のサムネイル画像の一覧を表示させる機能と、前記サムネイル画像の一覧において、前記受付部により受け付けられた前記入力によって、前記第１領域に表示されたいずれかの前記サムネイル画像が、当該サムネイル画像に対応する前記動画の再生のために選択されたとき、前記第１領域を縮小し、再生リストを表示するための第２領域と、第３領域と、を新たに前記表示部に設定して、選択された前記サムネイル画像に対応する前記動画を前記第３領域に表示させる機能と、前記受付部により受け付けられた前記入力によって、前記第１領域に表示されたいずれかの前記サムネイル画像が、当該サムネイル画像に対応する前記動画を前記再生リストに加えるために選択されたとき、選択された前記サムネイル画像に対応する前記動画に関連付けられた前記テキスト情報を、前記第２領域に表示させる機能と、前記第２領域に表示された前記テキスト情報に関連付けられた前記動画を、前記第１領域に表示された前記サムネイル画像より大きなサイズで、前記第３領域に表示させる機能と、前記表示部に前記第２領域と前記第３領域とを設定した後に、前記第１領域に表示されたいずれかの前記サムネイル画像が、当該サムネイル画像に対応する前記動画の再生のために選択されたとき、選択された前記サムネイル画像に対応する前記動画を、前記第２領域に表示された前記テキスト情報に関連付けられた前記動画に優先して、前記第３領域に表示させる機能と、を付与する。
【発明の効果】
【００１８】
本発明によれば、処理負担の増加を抑えつつ、画像を再生する順序をユーザの意図に応じて設定し得る携帯端末装置を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る検索画面および検索結果一覧を表示した各表示面を示す図である。
【図５】実施の形態に係る動画を再生するための画面を表示した各表示面を示す図である。
【図６】実施の形態に係る動画を再生するための処理手順を示すフローチャートである。
【図７】実施の形態に係る動画を再生するための画面を表示した各表示面を示す図である。
【図８】実施の形態に係るサムネイル画像および再生項目の目印の例を示す図である。
【発明を実施するための形態】
【００２１】
以下、本発明の実施の形態について、図面を参照して説明する。
【００２２】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００２３】
第１キャビネット１０は、横長の直方体形状を有する。第１キャビネット１０には、第１タッチパネルが配されている。第１タッチパネルは、第１ディスプレイ１１、第１タッチセンサ１２および第１透明カバー１３を含む。
【００２４】
第１ディスプレイ１１は、表示部の第１表示部に相当し、第１表示面１１ａ１に画像を表示する。第１ディスプレイ１１は、第１液晶パネル１１ａおよび第１液晶パネル１１ａを照明する第１バックライト１１ｂで構成されている（図３参照）。第１液晶パネル１１ａの前面に第１表示面１１ａ１が設けられる。第１ディスプレイ１１の上に第１タッチセンサ１２が重ねられて配されている。第１バックライト１１ｂは１つまたは複数の光源を含む。
【００２５】
第１タッチセンサ１２は、第１ディスプレイ１１に対する入力を受け付ける第１受付部に相当する。第１タッチセンサ１２は、透明な長方形状のシートであり、第１ディスプレイ１１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検出し、その位置に応じた位置信号を出力する。なお、ユーザが第１表示面１１ａ１を触れるとは、たとえば、ユーザがペンなどの接触部材や指を第１表示面１１ａ１上または上方を配することである。接触部材や指は第１表示面１１ａ１上または上方で静止してもよいし、移動してもよい。また、第１表示面１１ａ１を触れるとは、実際には、後述する第１透明カバー１３の中で画像が映る領域を触れることである。
【００２６】
第１透明カバー１３が、第１タッチセンサ１２の上に重ねられている。第１透明カバー１３は、第１タッチセンサ１２を覆い、第１キャビネット１０の正面に現れる。
【００２７】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００２８】
また、第１キャビネット１０の内部には、前面近傍の中央位置に磁石１５が配されており、右前角部に磁石１６が配されている。
【００２９】
さらに、第１キャビネット１０の右側面および左側面には、突起部１７が設けられている。
【００３０】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１、第２タッチセンサ２２および第２透明カバー２３を含む。
【００３１】
第２ディスプレイ２１は、表示部の第２表示部に相当し、第２表示面２１ａ１に画像を表示する。第２ディスプレイ２１は、第２液晶パネル２１ａおよび、第２液晶パネル２１ａを照明する第２バックライト２１ｂで構成されている。第２液晶パネル２１ａの前面に第２表示面２１ａ１が設けられる。第２バックライト２１ｂは１つまたは複数の光源を含む。なお、第１ディスプレイ１１および第２ディスプレイ２１は、有機ＥＬ等他の表示素子により構成されてもよい。
【００３２】
第２タッチセンサ２２は、第２ディスプレイ２１に対する入力を受け付ける第２受付部に相当する。第２タッチセンサ２２が第２ディスプレイ２１に重ねられている。第２タッチセンサ２２は第２ディスプレイ２１を覆い、第２タッチセンサ２２の上に第２透明カバー２３が重ねられている。なお、第２タッチセンサ２２の構成は、第１タッチセンサ１２と同様である。なお、ユーザが第２表示面２１ａ１を触れるとは、実際には、後述する第２透明カバー２３の中で画像が映る領域をユーザが指などで触れることである。
【００３３】
第２透明カバー２３は、第２タッチセンサ２２を覆い、第２キャビネット２０の正面に現れる。
【００３４】
第２キャビネット２０の内部には、後面近傍の中央位置に磁石２４が配されている。
この磁石２４と第１キャビネット１０の磁石１５とは、後述する開状態で互いに引き合うよう構成されている。なお、磁石２４または磁石１５のいずれか一方の磁力が十分大きければ、他方の磁石を磁性体に代えてもよい。
【００３５】
第２キャビネット２０の内部において、右前角部には閉鎖センサ２５が配されており、右後角部には開放センサ２６が配されている。これらセンサ２５、２６は、たとえば、ホールＩＣなどで構成され、磁石１６の磁力に反応して検出信号を出力する。後述する閉状態で、第１キャビネット１０の磁石１６が閉鎖センサ２５に接近するので、閉鎖センサ２５からＯＮ信号が出力される。一方、開状態になると、第１キャビネット１０の磁石１６が開放センサ２６に接近するので、開放センサ２６からＯＮ信号が出力される。
【００３６】
さらに、第２キャビネット２０の両側面にはそれぞれ２つの軸部２７が設けられている。
【００３７】
保持体３０は、底板部３１と、底板部３１の右端部に形成された右保持部３２と、底板部３１の左端部に形成された左保持部３３とで構成されている。
【００３８】
底板部３１には、３つのコイルバネ３４が左右方向に並ぶように配されている。これらコイルバネ３４は、第２キャビネット２０が保持体３０に取り付けられた状態において、第２キャビネット２０の下面に当接し、第２キャビネット２０に対して上方に押し上げる力を付与する。
【００３９】
右保持部３２の上面にはマイク３５および電源キー３６が配されている。左保持部３３の上面には、スピーカ３８が配されている。
【００４０】
また、右保持部３２の外側面には、複数のハードキー３７が配されている。
【００４１】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００４２】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が第２キャビネット２０の上に配置され、第１キャビネット１０が保持体３０の収容領域Ｒ内に収まる。
【００４３】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００４４】
図２は、携帯電話機１を閉状態から開状態へ切り替えるための操作について説明するための図である。
【００４５】
図２（ａ）に示す閉状態では、第１キャビネット１０が第２キャビネット２０の上に重ねられて、携帯電話機１が畳まれる。第２表示面２１ａ１が第１キャビネット１０で隠れ、第１表示面１１ａ１のみが外部に露出する。
【００４６】
図２（ｂ）に示す矢印の方向に、第１キャビネット１０が後方に移動し、図２（ｃ）に示す矢印の方向に、第２キャビネット２０が前方へ引き出される。第２キャビネット２０が第１キャビネット１０に完全に重ならなくなると、図１に示す軸部２７が縦溝３９ｃにくる。これにより、軸部２７が縦溝３９ｃに沿って動き、第２キャビネット２０は上下に移動可能になる。このとき、コイルバネ３４の弾性力と、磁石１５および磁石２４の引力とにより、第２キャビネット２０は上昇する。
【００４７】
図２（ｄ）に示すように、第２キャビネット２０が第１キャビネット１０と密着して並び、第２キャビネット２０の第２表示面２１ａ１が第１表示面１１ａ１と同じ高さになる。これにより、携帯電話機１は開状態に切り替えられる。開状態では、第１キャビネット１０および第２キャビネット２０が広げられて、第１表示面１１ａ１と第２表示面２１ａ１の双方が外部に露出する。
【００４８】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０、クロック３１１を備えている。
【００４９】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００５０】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５１】
キー入力回路３０３は、電源キー３６やハードキー３７の各キーが押されたときに、各
キーに応じた入力信号をＣＰＵ１００へ出力する。
【００５２】
通信モジュール３０４は、ＣＰＵ１００からの情報を無線信号に変換し、アンテナ３０４ａを介して基地局へ送信する。また、通信モジュール３０４は、アンテナ３０４ａを介して受信した無線信号を情報に変換してＣＰＵ１００へ出力する。
【００５３】
バックライト駆動回路３０５は、ＣＰＵ１００からの制御信号に応じた電圧を第１バックライト１１ｂおよび第２バックライト２１ｂに印加する。第１バックライト１１ｂは、バックライト駆動回路３０５による電圧により点灯し、第１液晶パネル１１ａを照明する。第２バックライト２１ｂは、バックライト駆動回路３０５による電圧により点灯し、第２液晶パネル２１ａを照明する。
【００５４】
映像デコーダ３０６は、ＣＰＵ１００からの画像情報を第１液晶パネル１１ａおよび第２液晶パネル２１ａで表示できる画像信号に変換し、これらを液晶パネル１１ａ、２１ａに出力する。第１液晶パネル１１ａは、画像信号に応じた画像を第１表示面１１ａ１に表示する。第２液晶パネル２１ａは、映像信号に応じた画像を第２表示面２１ａ１に表示する。
【００５５】
音声デコーダ３０７は、ＣＰＵ１００からの音声信号と、着信音やアラーム音等の各種報知音の音信号とにデコード処理を施し、さらにアナログの音声信号に変換してスピーカ３８に出力する。スピーカ３８は、音声デコーダ３０７からの音声信号や着信音等を再生する。
【００５６】
バッテリー３０９は、ＣＰＵ１００やＣＰＵ１００以外の各部へ電力を供給するためのものであり、二次電池からなる。バッテリー３０９は電源部３１０に接続されている。
【００５７】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５８】
クロック３１１は、時間を計測し、計測した時間を応じた信号をＣＰＵ１００へ出力する。
【００５９】
メモリ２００は、ＲＯＭおよびＲＡＭを含む。メモリ２００には、ＣＰＵ１００に制御機能を付与するための制御プログラムが記憶されている。
【００６０】
メモリ２００には、カメラモジュール１４で撮影した画像の情報、通信モジュール３０４を介して外部から取り込んだ情報、および各タッチセンサ１２、２２により入力された情報が所定のファイル形式で保存される。カメラモジュール１４で撮影した画像は、静止画である写真、および動画であるビデオを含む。
【００６１】
メモリ２００には、表示情報が記憶されている。表示情報は、各表示面１１ａ１、２１ａ１に表示される画像の内容と、各画像が各表示面１１ａ１、２１ａ１に表示される位置とを対応付けた情報である。画像には、静止画および動画がある。動画は複数のフレームで構成され、各フレームは静止画からなる。静止画は、アイコン、ボタン、写真、サムネイル画像およびテキストレイアウト領域を含む。テキストレイアウト領域は、テキスト情報が表示された領域である。また、後述する動画と動画のサムネイル画像と動画の詳細情報と再生項目とは、動画の識別情報により関連づけられてメモリ２００に記憶される。
【００６２】
ＣＰＵ１００は、キー入力回路３０３および各タッチセンサ１２、２２からの操作入力
信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、キーロック機能等の各種アプリケーションを実行する。
【００６３】
ＣＰＵ１００は、検索部として、動画を検索し、検索結果の情報を取り込む。具体的には、ＣＰＵ１００は、ユーザにより入力されたキーワードなどの情報を通信モジュール３０４により動画の配信元、たとえば、特定のサーバへ送信する。これにより、その情報を属性に含む動画が検索され、ＣＰＵ１００は、検索結果の動画の情報を、通信モジュール３０４を介して受信する。なお、動画の情報は画像情報、音声情報および付属情報を含み、画像情報は複数のフレームで形成される。ただし、検索結果としては、動画の情報の一部が取得される。たとえば、画像情報のうちの１つのフレームおよび付属情報だけが取り込まれる。付属情報には、画像のタイトル、コメント、撮影日時、投稿日時、撮影者、投稿者、データ容量、再生時間など画像を詳しく示す情報が挙げられる。また、動画の画像情報、音声情報および付属情報には動画の識別情報が付されており、動画の識別情報により画像情報、音声情報および付属情報は対応付けられている。
【００６４】
ＣＰＵ１００は、表示情報を参照し、各タッチセンサ１２、２２による入力位置からユーザにより選択された画像を判断する。たとえば、図４（ａ）に示す入力キーのボタン上がユーザによりタッチされると、表示情報に基づき、タッチされた入力位置に表示される入力キーが特定される。これにより、入力キーが選択され、入力キーが示す文字が入力されたと判断される。また、たとえば、図４（ｂ）に示す動画Ａのサムネイル画像“イメージＡ”上がユーザによりタッチされると、ＣＰＵ１００は、入力位置に表示されるサムネイル画像“イメージＡ”を特定する。これにより、サムネイル画像“イメージＡ”およびこれに対応する動画Ａが選択されたと判断されるとともに、サムネイル画像に関連付けられた動画Ａの詳細情報が取得される。
【００６５】
ＣＰＵ１００は、抽出部として、選択された動画の付属情報からテキスト情報の一部または全部を抽出すると共に、動画の付属情報から動画の識別情報を取得する。具体的には、図５（ｂ）に示すように、動画Ｄのサムネイル画像“イメージＤ”が選択されると、ＣＰＵ１００は、動画Ｄの詳細情報からタイトル名“タイトルＤ”を抽出する。抽出された情報には、動画の識別情報が付与される。なお、抽出されたテキスト情報は、動画を特定するための情報であるため、後述する動画の再生項目に利用される。
【００６６】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各バックライト１１ｂ、２１ｂを消灯する。一方、ＣＰＵ１００は、各バックライト１１ｂ、２１ｂを点灯すると共に、映像デコーダ３０６を制御し、各表示面１１ａ１、２１ａ１に画像を表示させる。なお、ＣＰＵ１００は、各表示面１１ａ１、２１ａ１に画像を表示する際のコントラスト、輝度、画面サイズ、および画面の透明度なども制御する。
【００６７】
たとえば、図４（ｂ）および図５（ａ）に示すように、動画の検索結果一覧が各表示面１１ａ１、２１ａ１の第１領域に表示される。動画の検索結果一覧はサムネイル画像および詳細情報で構成される。サムネイル画像は、動画の画像情報に基づき１つのフレームが縮小されて表示された画像からなり、動画より小さなサイズで表示される。詳細情報は、動画の付属情報の一部または全部が入力されたテキストレイアウト領域からなる。横に並ぶサムネイル画像と詳細情報とが対になって１つの動画を示す。
【００６８】
図５（ｂ）に示すように、再生リストが第２表示面２１ａ１の第２領域に表示される。
第２領域は、再生リストが設けられる再生リスト欄２１ａ２に相当する。再生リストは、１つまたは複数の再生項目を含む。再生項目が再生対象の動画を示し、再生項目が並ぶ順番が動画の再生順位を定める。再生項目は、抽出部により抽出されたテキスト情報が入力されたテキストレイアウト領域からなる。再生項目が並ぶ順番は、ユーザによりサムネイル画像が選択された順に対応する。なお、ユーザにより再生項目が表示される位置を移動する操作がなされると、再生項目の表示位置が移動されてもよい。これにより、再生項目が並ぶ順が変更されるため、動画が再生される順も変更される。
【００６９】
ここで、検索結果一覧のサムネイル画像と再生リストの再生項目とが関連付けて表示される。たとえば、サムネイル画像に対応する動画が再生対象に選ばれると、動画の再生項目とサムネイル画像に同じ目印が付される。サムネイル画像および再生項目の枠の色や形状を合わせることにより目印とすることもできるし、サムネイル画像および再生項目に同じマークを付すことにより目印とすることもできる。具体的には、図５（ｂ）を参照して、サムネイル画像“イメージＤ”に対応する動画Ｄが再生項目“タイトルＤ”に挙げられている場合、サムネイル画像の枠と再生項目の枠とが同じ線幅の太線で表わされる。また、サムネイル画像“イメージＥ”に対応する動画Ｅが再生項目“タイトルＥ”に挙げられている場合、サムネイル画像の枠と再生項目の枠とが同様の二重線で表わされる。
【００７０】
さらに、図５（ａ）および図５（ｂ）に示すように、動画はサムネイル画像より大きなサイズで第１表示面１１ａ１の第３領域に表示される。動画のフレームが連続的に表示されることにより、動画が再生される。動画は、再生リストの順またはユーザにより個別に選択された順に再生される。再生項目に挙がると、再生の前または再生時に、再生項目が並ぶ順に、再生項目に対応する動画の識別情報が通信モジュール３０４を介して動画の配信元へ送信される。これに応じて識別情報に対応する動画の画像情報および再生情報が配信元からダウンロードされ、画像情報に基づき画像が第１表示面１１ａ１に表示される。なお、早送りボタン、一時停止ボタンおよび巻き戻しボタンが動画上に表示される。これらのボタンは、動画の再生が開始されてから、およびユーザによる操作がされてから所定時間の間表示される。
【００７１】
ＣＰＵ１００は、画像の表示に同期させて、音声情報に基づき音声をスピーカ３０８から出力する。これにより、動画が再生される。
【００７２】
＜第１の実施形態の処理手順＞
図４（ａ）は、動画を検索するための画面を各表示面１１ａ１、２１ａ１に表示した図である。図４（ｂ）は、動画の検索結果一覧を各表示面１１ａ１、２１ａ１に表示した図である。図５（ａ）は、動画、検索結果一覧および再生リスト欄２１ａ２を第２表示面２１ａ１に表示した図である。図５（ｂ）は、検索結果一覧、再生リストおよび動画を各表示面１１ａ１、２１ａ１に表示した図である。図６は、動画を再生する処理手順を示すフローチャートである。
【００７３】
ユーザの操作により動画を再生するアプリケーションがＣＰＵ１００により実行されると、図４（ａ）に示す検索画面が第１表示面１１ａ１に表示され、複数の入力キーのボタンが第２表示面２１ａ１に表示される(Ｓ１０１)。検索画面には、検索ボタンおよび、文字を入力するためのテキストボックスが表示される。
【００７４】
ユーザにより入力キーが押されると、押された入力キーに対応する文字がテキストボックスに入力される。その後、ユーザにより検索ボタンが押されると、テキストボックスに入力された文字列をキーワードとして、インターネットまたは特定のサーバなどに存在する動画ファイルが検索される(Ｓ１０２:ＹＥＳ)。
【００７５】
キーワードに関する動画が検出され、検出された動画の情報のうちの画像情報の１つのフレームおよび付属情報が通信モジュール３０４を介して取り込まれる。そして、フレームがサムネイル画像として表示され、付属情報が詳細情報として表示される。図４（ｂ）に示すように、動画Ａ〜Ｆからなる検索結果一覧が両表示面１１ａ１、２１ａ１に表示される(Ｓ１０３)。ここでは、検索結果一覧に、動画Ａ〜Ｆの６つの動画に対応するサムネイル画像“イメージＡ〜Ｆ”および詳細情報が表示されている。ただし、検索結果の動画の数が６つより多い場合、図面の上方向または下方向にユーザが指で各表示面１１ａ１、２１ａ１をフリックまたはスライドする操作を行うことにより、指の動く方向にサムネイル画像および詳細情報が移動する。これにより、他の動画のサムネイル画像および詳細情報が表示されるので、ユーザは検索結果一覧の全てを見ることができる。
【００７６】
検索結果一覧において動画Ｂのサムネイル画像“イメージＢ”または詳細情報がユーザによりタップされると、これらに対応する動画Ｂが選択される(Ｓ１０４:ＹＥＳ)。これ
により、動画Ｂの全ての画像情報および音声情報がダウンロードされながら、動画Ｂが再生される(Ｓ１０５)。動画Ｂの再生の際には、図５（ａ）に示すように、画像情報に基づき動画Ｂの画像が第１表示面１１ａ１に表示されるとともに、音声情報に基づいて音声がスピーカ３０８から出力される。ダウンロードされた画像情報および音声情報は一時的にメモリ２００に保存されるが、これらの情報は動画の再生終了により消去される。
【００７７】
また、図５（ａ）に示すように、第２表示面２１ａ１に検索結果一覧および再生リスト欄２１ａ２が表示される(Ｓ１０６)。ここでも、検索結果一覧に表示されるサムネイル画像および詳細情報は、ユーザがフリックおよびスライドの操作を行うことにより移動する。
【００７８】
ユーザは、検索結果一覧の中からサムネイル画像“イメージＤ”上を指でタッチすると、サムネイル画像“イメージＤ”が選択される(Ｓ１０７：ＹＥＳ)。ユーザは、選択したサムネイル画像に対応する動画を再生リストの再生項目に設定する場合、指を第２表示面２１ａ１上にタッチしたままで再生リスト欄２１ａ２にスライドさせる(Ｓ１０８:ＹＥＳ)。これにより、サムネイル画像“イメージＤ”に対応する動画Ｄの付属情報からタイト
ル名“タイトルＤ”が抽出される。タイトル名“タイトルＤ”は再生項目“タイトルＤ”に設定され、再生項目“タイトルＤ”が再生リスト欄２１ａ２に表示される。このとき、動画Ｄのサムネイル画像“イメージＤ”の枠と、再生項目“タイトルＤ”の枠とが太線で同じ色に表わされる(Ｓ１０９)。この枠により、サムネイル画像“イメージＤ” および
再生項目“タイトルＤ”が関連することが示される。
【００７９】
一方、ユーザが、選択したサムネイル画像に対応する動画を再生リストに挙げるのではなく、動画をすぐに再生したい場合、指を再生リスト欄２１ａ２にスライドさせない(Ｓ
１０８:ＮＯ)。この場合、ユーザは、指をサムネイル画像“イメージＤ”上にタッチした後に第１表示面１１ａ１へ移動させたり、サムネイル画像“イメージＤ”上を指で連続して２度タッチしたり、サムネイル画像“イメージＤ”上を所定時間以上指でタッチしたままにしたりする。これにより、サムネイル画像“イメージＤ”に対応する動画Ｄが再生対象として特定される。そして、動画Ｄの情報がダウンロードされる。
【００８０】
このとき、動画が再生されていなければ(Ｓ１１０:ＮＯ)、動画Ｄが再生される(Ｓ１１１)。これに対し、動画が再生されていれば(Ｓ１１０:ＹＥＳ)、動画の再生が終了させられて、動画Ｄが再生される(Ｓ１１２)。
【００８１】
動画Ｄの再生開始後、ＣＰＵ１００は、サムネイル画像に対する選択を監視する(Ｓ１
０７)。サムネイル画像が選択されない場合(Ｓ１０７:ＮＯ)、動画が再生中であったり(
Ｓ１１３:ＹＥＳ)、次の再生項目が再生リスト欄２１ａ２に挙げられていなかったりする
と、引きづづきサムネイル画像に対する選択が監視される(Ｓ１０７)。一方、再生が終了し(Ｓ１１３:ＹＥＳ)、次の再生項目が挙がっていれば(Ｓ１１４:ＹＥＳ)、再生項目に対応する動画の再生が開始される(Ｓ１１５)。そして、再生項目に対応する動画が再生されると、再生項目が消える。
【００８２】
以上、本実施形態によれば、ユーザは、再生リスト欄２１ａ２に再生項目を並べることにより、動画の再生順序を設定することができる。
【００８３】
特に、ユーザは、検索結果一覧のサムネイル画像上にタッチした指を再生リスト欄２１ａ２にスライドさせるだけで、再生項目を再生リスト欄２１ａ２に簡単に挙げることができる。
【００８４】
この検索結果一覧にはサムネイル画像および詳細情報が表示されているため、これらの情報を基にユーザは適切に所望の動画を選択することができる。
【００８５】
また、本実施形態によれば、テキスト情報で再生項目が設定されるため、画像（たとえば、サムネイル画像）で再生項目が設定される場合に比べて、ＣＰＵ１００がデータを処理する負担が抑えられる。
【００８６】
さらに、再生項目およびサムネイル画像に同じ目印が付されていることにより、再生項目およびサムネイル画像が対応していることが直感的にわかる。このため、再生項目に対応するサムネイル画像を参照することにより、ユーザは再生項目が表わす動画を把握し易い。
【００８７】
＜その他の実施形態＞
以上、本発明の実施の形態について説明したが、本発明は、上記実施の形態によって何ら制限されるものではなく、また、本発明の実施の形態も、上記以外に種々の変更が可能である。
【００８８】
たとえば、上記実施形態では、図５に示す画面において動画が表示されたが、写真などの静止画が表示されてもよい。この場合、静止画が再生項目の並び順に従って順次表示される。
【００８９】
また、上記実施形態では、通信モジュール３０４を介してインターネットや所定サーバなどから取り込まれた画像が検索結果一覧として表示された。これに対し、携帯電話機１内のメモリ２００から読み出された画像が画像一覧として表示されてもよい。この場合、メモリ２００内の特定の画像が検索されて、検索された画像が一覧表示されてもよいが、メモリ２００の中の全ての画像が一覧表示されてもよい。
【００９０】
さらに、上記実施形態では、携帯電話機１は第１表示面１１ａ１および第２表示面２１ａ１の２つの表示面を備えていたが、携帯電話機１は１つまたは３つ以上の表示面を備えることもできる。
【００９１】
また、上記実施形態では、第１表示面１１ａ１に動画が表示され、第２表示面２１ａ１に検索結果一覧および再生リストが表示された。これらの動画、検索結果一覧および再生リストが表示される領域はこれに限定されない。たとえば、閉状態の携帯電話機１のように、１つの表示面しか外部に現れていない場合、動画、検索結果一覧および再生リストの全てが１つの表示面に表示される。この際、これらの画像が同時に１つの表示面に表示されるのではなく、動画だけが表示されていて、ユーザの操作時のみ検索結果一覧および再生リストが表示されるようにしてもよい。
【００９２】
さらに、上記実施形態では、検索結果一覧としてサムネイル画像および詳細情報が表示されたが、図７に示すように、サムネイル画像だけが表示されてもよい。
【００９３】
また、上記実施形態では、サムネイル画像、詳細情報および再生項目がそれぞれ縦方向に並べて配置されたが、これらの並ぶ方向はこれに限定されない。たとえば、図７に示すように、サムネイル画像を横方向に並べることもできる。
【００９４】
また、上記実施形態では、検索結果一覧および再生リストが横方向に並べて配置されたが、図７に示すように、検索結果一覧および再生リストが縦方向に並べて配置されてもよい。このように、サムネイル画像と再生項目とが離れて配置されていても、色や形状などの目印によりサムネイル画像および再生項目の対応関係を容易に把握可能である。また、サムネイル画像および再生項目はユーザの意図に応じて自由に配置され得る。さらに、サムネイル画像および再生項目のサイズが自由に設定され得るため、サイズが小さくされれば、表示される情報量を増やすことができる。
【００９５】
さらに、上記実施形態では、再生項目に対応する動画が再生されると、再生リストから再生項目が消えた。これに対し、再生項目上に指が所定時間以上タッチされていると、×マークや削除のコメントなど再生項目を削除するためのメッセージが表示されるようにしてもよい。この場合、メッセージが選択されると、再生項目が消去される。さらに、動画を再生する機能が終了されると、全ての再生項目が消去されてもよい。
【００９６】
上記実施形態において、携帯電話機１は、動画が再生中に、電話やメールの着信があると、動画の再生が一時的に中断され、着信音がスピーカ３０８から出力されるような構成とされても良い。
【００９７】
上記実施形態では、サムネイル画像の枠および再生項目の枠の線幅や線の数を合わせることにより、サムネイル画像と対応する再生項目との目印としたが、これに限定されない。たとえば、サムネイル画像の枠および再生項目の枠において、図８（ａ）のように斜線などの線の模様や、図８（ｂ）のように波線など線の形や、図８（ｃ）のように三角形などの枠の形を合わせることにより、サムネイル画像と対応する再生項目との目印とすることもできる。また、図８（ｄ）に示すように、サムネイル画像の枠および対応する再生項目の枠に星型などのマークを付すことにより、サムネイル画像と再生項目との目印とすることもできる。
【００９８】
また、上記実施形態では、携帯電話機１を用いたが、ＰＤＡや携帯ゲーム機などの携帯端末装置を用いることもできる。
【００９９】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１００】
１  携帯電話機
１１  第１ディスプレイ
１２  第１タッチセンサ
２１  第２ディスプレイ
２２  第２タッチセンサ
１００  ＣＰＵ
２００  メモリ
【図１】
0005818445.tif 000002
【図２】
0005818445.tif 000003
【図３】
0005818445.tif 000004
【図４】
0005818445.tif 000005
【図５】
0005818445.tif 000006
【図６】
0005818445.tif 000007
【図７】
0005818445.tif 000008
【図８】
0005818445.tif 000009